【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
直列および／または並列接続された多数の太陽発電機（１４ｂ）を含むエネルギーメインパス（１８）を有する光起電力装置（１０ｂ）を制御／調整する回路装置において、
各太陽発電機（１４ｂ）に可変のエネルギーバイパス（６８ｂ）が割り当てられており、
前記太陽発電機（１４ｂ）は、当該の可変のエネルギーバイパス（６８ｂ）を介して、理論的に最大限に可能なそのエネルギーと、回路によって決まりかつ前記のエネルギーメインパス（１８）を介して実際に排出し得るそのエネルギーとの間の差分エネルギーを供給することを特徴とする、
光起電力装置を制御／調整する回路装置。
【請求項２】
前記の可変のエネルギーバイパス（６８ｂ）は、制御／調整装置によって制御／調整されて、各太陽発電機（１４ｂ）が都度最新の固有のＭＰＰで連続して動作される、
請求項１に記載の回路装置。
【請求項３】
前記エネルギーバイパス（６８ｂ）は電流制御／調整および／または電圧制御／調整される、
請求項１または２に記載の回路装置。
【請求項４】
前記エネルギーバイパス（６８ｂ）は、導電分離式の制御／調整可能なエネルギー変換器（７０ｂ）を含む、
請求項１または３に記載の回路装置。
【請求項５】
直列接続された多数の太陽発電機（１４ｂ）のうち、当該直列接続にて都度最新の最小ＭＰＰ電流を有する太陽発電機（１４ｂ）により、当該直列接続の別の太陽発電機（１４ｂ）のエネルギーバイパス（６８ｂ）に対する制御／調整量が設定される、
請求項１から３までのいずれか１項に記載の回路装置。
【請求項６】
並列接続された多数の太陽発電機（１４ｇ）のうち、システムにて都度最新の最小ＭＰＰ電圧を有する太陽発電機（１４ｇ）により、該システムにおける別の太陽発電機（１４ｇ）のエネルギーバイパス（６８ｂ）に対する制御／調整量が設定される、
請求項１から４までのいずれか１項に記載の回路装置。
【請求項７】
少なくとも１つのエネルギーバイパス路（７４ｂ；７４ｄ）が設けられており、
該エネルギーバイパス路を介して前記エネルギーバイパス（６８ｂ；６８ｄ）が直列および／または並列にまとめて接続されている、
請求項１から６までのいずれか１項に記載の回路装置。
【請求項８】
前記エネルギーバイパス路（７４ｂ；７４ｄ）はエネルギーメインパス（１８ｂ；１８ｄ）に接続されている、
請求項７に関連した請求項６に記載の回路装置。
【請求項９】
前記エネルギーメインパス（１８ｃ）および／またはエネルギーバイパス路（７４ｃ）は、エネルギー網（２２ｃ）またはバッテリシステムに接続されている、
請求項７または８に記載の回路装置。
【請求項１０】
前記エネルギーメインパス（１８ｃ）および／またはエネルギーバイパス路（７４ｃ）にエネルギー変換器（２０ｃ；８０ｃ）が割り当てられている、
請求項７から９までのいずれか１項に記載の回路装置。
【請求項１１】
直列および／または並列接続された多数の太陽発電機を含む光起電力装置（１０）を制御／調整する回路装置において、
各太陽発電機（１４）または複数の太陽発電機の一部（１４）に診断装置（１６）が割り当てられており、
該診断装置により、太陽発電機（１４）の動作中にその動作パラメタおよび／または特性データが繰り返し検出され、
前記診断装置（１６）にシステムデカップリングユニット（３２）が割り当てられており、
該システムデカップリングユニットは、前記の動作パラメタおよび／または特性データの検出時間中、太陽発電機（１４）をエネルギーメインパス（１８）から切り離すことができることを特徴とする、
光起電力装置を制御／調整する回路装置。
【請求項１２】
前記診断装置（１６）に太陽発電機シミュレータ（３４）が割り当てられており、
前記の動作パラメタおよび／または特性データの検出時間中、該太陽発電機シミュレータにより、太陽発電機（１４）に代わってエネルギー放出が行われる、
請求項１１に記載の回路装置。
【請求項１３】
前記太陽発電機シミュレータ（３４）を接続して、前記の動作パラメタおよび／または特性データの検出時間中、当該太陽発電機シミュレータにより、エネルギーメインパス（１８）にエネルギーが供給されるようにした、
請求項１２に記載の回路装置。
【請求項１４】
前記診断装置（１６）は、太陽発電機（１４）の最新の動作パラメタを検出する温度測定ユニット（２８）および／または電流測定ユニット（２６）および／または電圧測定ユニット（２４）を含む、
請求項１１から１３までいずれか１項に記載の回路装置。
【請求項１５】
前記回路装置に動作点調整器（３０）が割り当てられており、
該動作点調整器により、動作パラメタおよび／または特性データの検出中、前記動作点が調整される、
請求項１１から１４までのいずれか１項に記載の回路装置。
【請求項１６】
各太陽発電機（１４ｂ）に、請求項１から１０までのいずれか１項に記載の可変のエネルギーバイパス（６８ｂ）が割り当てられている、
請求項１１から１５までのいずれか１項に記載の回路装置。
【請求項１７】
前記システムデカップリング装置（３２ｂ）により、動作パラメタおよび／または特性データの検出時間中、太陽発電機（１４ｂ）がエネルギーバイパス路（７４ｂ）からも切り離される、
請求項１６に記載の回路装置。
【請求項１８】
前記の動作パラメタおよび／または特性データの検出時間中に太陽発電機シミュレータ（３４ｂ）により、前記エネルギーバイパス路（７４）にもエネルギーが供給される、
請求項１６または１７に記載の回路装置。
【請求項１９】
各太陽発電機（１４；１４ｂ）および／または太陽発電機（１４；１４ｂ）の一部に前記のエネルギーバイパス（６８ｂ）および／または診断装置（１６）を制御／調整する制御／調整装置（１６；１６ｂ）が割り当てられている、
請求項１から１８までのいずれか１項に記載の回路装置。
【請求項２０】
各太陽発電機（１４；１４ｂ）および／または太陽発電機（１４；１４ｂ）の一部にデータ処理および記憶ユニット（３６；３６ｂ）が割り当てられている、
請求項１から１９までのいずれか１項に記載の回路装置。
【請求項２１】
前記回路装置に通信装置（３８；３８ｂ）が割り当てられており、
該通信装置により、太陽発電機動作パラメタおよび太陽発電機特性データが、別の太陽発電機（１４；１４ｂ）および／または通信装置および／または制御／調整装置および／またはデータ処理および記憶装置（４２ｈ；９４ｈ）に通信される、
請求項１から２０までのいずれか１項に記載の回路装置。
【請求項２２】
前記通信は、データ線路（４０）および／またはエネルギーメインパス（１８）および／またはエネルギーバイパス路を介して行われる、
請求項２１に記載の回路装置。
【請求項２３】
直列および／または並列接続された多数の太陽発電機（１４）を含む光起電力装置（１０）を制御／調整する方法において、
システムＭＰＰを決定するため、接続された太陽発電機（１４）の一部だけにてＭＰＰを求め、
当該の１つまたは複数の値から前記システムＭＰＰを導出することを特徴とする、
光起電力装置を制御／調整する方法。
【請求項２４】
可変のエネルギーバイパス（６８ｂ）が１つずつ割り当てられ、直列および／または並列接続された多数の太陽発電機（１４ｂ）を含む光起電力装置（１０ｂ）のエネルギーバイパス（６８ｂ）を制御／調整する方法において、
前記の可変のエネルギーバイパス（６８ｂ）を制御／調整して、各太陽発電機（１４ｂ）を都度最新の固有のＭＰＰで連続して動作させることを特徴とする、
光起電力装置（１０ｂ）のエネルギーバイパス（６８ｂ）を制御／調整する方法。